(57)【特許請求の範囲】
【請求項１】
円形あるいは正方形の断面形状を有する主導波管と、
前記主導波管に接続され、前記主導波管より断面寸法が小さく円形あるいは正方形の断面形状を有する導波管と、
前記主導波管の側面から上下左右に分岐する第１、第２、第３及び第４の分岐導波管と、
前記第１、第２、第３及び第４の分岐導波管にそれぞれ接続された第１、第２、第３及び第４の低域通過形フィルタと、
前記第１及び第２の低域通過形フィルタにそれぞれ接続され、通過する電波の位相差が互いに１８０度又は０度となるように、９０度の位相差を加える第１及び第２の移相器と、
前記第３及び第４の低域通過形フィルタにそれぞれ接続され、通過する電波の位相差が互いに１８０度又は０度となるように、９０度の位相差を加える第３及び第４の移相器と、
第１のＥ面分岐導波管、第１のＨ面分岐導波管、並びに第１及び第２の分岐端子を有し、前記第１及び第２の移相器に前記第１及び第２の分岐端子がそれぞれ接続され、前記第１及び第２の分岐端子から入射された電波を合成して前記第１のＥ面分岐導波管、又は前記第１のＨ面分岐導波管から出力する第１のマジックＴと、
第２のＥ面分岐導波管、第２のＨ面分岐導波管、並びに第３及び第４の分岐端子を有し、前記第３及び第４の移相器に前記第３及び第４の分岐端子がそれぞれ接続され、前記第３及び第４の分岐端子から入射された電波を合成して前記第２のＥ面分岐導波管、又は前記第２のＨ面分岐導波管から出力する第２のマジックＴと、
前記第１及び第２のＥ面分岐導波管から出力された電波を合成するＨ面Ｔ分岐回路と、
前記第１及び第２のＨ面分岐導波管から出力された電波を合成するＥ面Ｔ分岐回路と
を備え、
前記第１及び第２の低域通過形フィルタは、前記第１、第２、第３及び第４の分岐導波管のうち、隣り合う前記第１及び第２の分岐導波管にそれぞれ接続され、前記第３及び第４の低域通過形フィルタは、隣り合う前記第３及び第４の分岐導波管にそれぞれ接続された
ことを特徴とするアンテナ給電回路。
【請求項２】
前記第１及び第３の移相器は、導波管の幅広面の少なくとも一方がコルゲート状であり、かつ
前記第２及び第４の移相器は、導波管の幅狭面の少なくとも一方がコルゲート状である
ことを特徴とする請求項１記載のアンテナ給電回路。
【請求項３】
円形あるいは正方形の断面形状を有する主導波管と、
前記主導波管に接続され、前記主導波管より断面寸法が小さく円形あるいは正方形の断面形状を有する導波管と、
前記主導波管の側面から上下左右に分岐する第１、第２、第３及び第４の分岐導波管と、
前記第１、第２、第３及び第４の分岐導波管にそれぞれ接続された第１、第２、第３及び第４の低域通過形フィルタと、
第１のＥ面分岐導波管、第１のＨ面分岐導波管、並びに第１及び第２の分岐端子を有し、前記第１及び第２の低域通過形フィルに前記第１及び第２の分岐端子がそれぞれ接続され、前記第１及び第２の分岐端子から入射された電波を合成して前記第１のＥ面分岐導波管、又は前記第１のＨ面分岐導波管から出力する第１のマジックＴと、
第２のＥ面分岐導波管、第２のＨ面分岐導波管、並びに第３及び第４の分岐端子を有し、前記第３及び第４の低域通過形フィルに前記第３及び第４の分岐端子がそれぞれ接続され、前記第３及び第４の分岐端子から入射された電波を合成して前記第２のＥ面分岐導波管、又は前記第２のＨ面分岐導波管から出力する第２のマジックＴと、
前記第１及び第２のＥ面分岐導波管から出力された電波を合成するＨ面Ｔ分岐回路と、
前記第１及び第２のＨ面分岐導波管から出力された電波を合成するＥ面Ｔ分岐回路と
を備え、
前記第１及び第２の低域通過形フィルタは、前記第１、第２、第３及び第４の分岐導波管のうち、隣り合う前記第１及び第２の分岐導波管にそれぞれ接続され、前記第３及び第４の低域通過形フィルタは、隣り合う前記第３及び第４の分岐導波管にそれぞれ接続された
ことを特徴とするアンテナ給電回路。
【請求項４】
円形あるいは正方形の断面形状を有する主導波管と、
前記主導波管に接続され、前記主導波管より断面寸法が小さく円形あるいは正方形の断面形状を有する導波管と、
前記主導波管の側面から上下左右に分岐する第１、第２、第３及び第４の分岐導波管と、
隣り合う前記第１及び第２の分岐導波管にそれぞれ接続された第１及び第２の低域通過形フィルタと、
前記第１及び第２の低域通過形フィルタにそれぞれ接続され、通過する電波の位相差が互いに１８０度又は０度となるように、９０度の位相差を加える第１及び第２の移相器と、
隣り合う前記第３及び第４の分岐導波管にそれぞれ接続された第１及び第２の短絡板と、
Ｅ面分岐導波管、Ｈ面分岐導波管、並びに第１及び第２の分岐端子を有し、前記第１及び第２の移相器に前記第１及び第２の分岐端子がそれぞれ接続され、前記第１及び第２の分岐端子から入射された電波を合成して前記Ｅ面分岐導波管、又は前記Ｈ面分岐導波管から出力するマジックＴと
を備えたことを特徴とするアンテナ給電回路。
【請求項５】
前記第１の移相器は、導波管の幅広面の少なくとも一方がコルゲート状であり、かつ、
前記第２の移相器は、導波管の幅狭面の少なくとも一方をコルゲート状である
ことを特徴とする請求項４記載のアンテナ給電回路。
【請求項６】
円形あるいは正方形の断面形状を有する主導波管と、
前記主導波管に接続され、前記主導波管より断面寸法が小さく円形あるいは正方形の断面形状を有する導波管と、
前記主導波管の側面から上下左右に分岐する第１、第２、第３及び第４の分岐導波管と、
隣り合う前記第１及び第２の分岐導波管にそれぞれ接続された第１及び第２の低域通過形フィルタと、
隣り合う前記第３及び第４の分岐導波管にそれぞれ接続された第１及び第２の短絡板と、
Ｅ面分岐導波管、Ｈ面分岐導波管、並びに第１及び第２の分岐端子を有し、前記第１及び第２の低域通過形フィルタに前記第１及び第２の分岐端子がそれぞれ接続され、前記第１及び第２の分岐端子から入射された電波を合成して前記Ｅ面分岐導波管、又は前記Ｈ面分岐導波管から出力するマジックＴと
を備えたことを特徴とするアンテナ給電回路。
【請求項７】
前記低域通過形フィルタをコルゲート形低域通過形導波管フィルタとし、かつ、前記分岐導波管、前記コルゲート形低域通過形導波管フィルタ、前記移相器の少なくともいずれかひとつの導波管の幅広寸法を、使用する複数の周波数帯うち高い周波数帯のＴＥ２０モードがカットオフとなる寸法とする
ことを特徴とする請求項１から請求項６までのいずれかに記載のアンテナ給電回路。
【請求項８】
前記円形あるいは正方形の断面形状を有する主導波管は、導波管の管軸方向にテーパ形状である
ことを特徴とする請求項１から請求項６までのいずれかに記載のアンテナ給電回路。
【請求項９】
掘削加工された複数の金属ブロックを組み合わせることにより構成した
ことを特徴とする請求項１から請求項６までのいずれかに記載のアンテナ給電回路。
【発明の詳細な説明】
【技術分野】
【０００１】
この発明は、移相器、マジックＴを用いることにより直交偏波面分離・合成器（ＯＭＪ：Ｏｒｔｈｏｍｏｄｅ  Ｊｕｎｃｔｉｏｎ）の簡素化を実現するとともに、管軸長が等しい移相器を用いることにより導波管の引き回しが不要となり、さらなる構造の簡素化を実現するアンテナ給電回路に関するものである。
【背景技術】
【０００２】
複数の周波数帯を使用する円偏波アンテナ給電回路では、ＯＭＪがよく用いられる（例えば、特許文献１の図３参照）。従来のＯＭＪでは、主導波管から上下左右に分岐した分岐導波管の互いに向かいあう分岐導波管を、Ｔ分岐回路等を用いて接続し、低域側の周波数帯の電波を合成する。また、テーパ形状、ステップ形状を用いて主導波管の出力導波管を低域側の周波数帯でカットオフとなるような径とすることにより、低域側の周波数帯の電波をすべて分岐導波管より出力する。高い周波数帯の電波は、分岐導波管に低域通過形フィルタを設けることにより、分岐導波管には伝搬せず主導波管の出力端子より出力させる。
【０００３】
従来のアンテナ給電回路は、ＯＭＪから上下左右に分岐した分岐導波管の隣り合う分岐導波管を電力分配器で合成することにより小型化している（例えば、特許文献１の図２参照）。
【０００４】
【特許文献１】特開平１１−１４５７０２号公報
【発明の開示】
【発明が解決しようとする課題】
【０００５】
上述したような従来のアンテナ給電回路は、低域周波数帯の電波を分岐させるＯＭＪの分岐回路の上下左右に向かい合う分岐回路をそれぞれ合成する必要があり、上下の分岐導波管を合成する導波管と左右の分岐導波管を合成する導波管を交差させるため、給電回路全体として構造が大きくなるという問題があった。
【０００６】
別の従来のアンテナ給電回路のように、隣り合う２個の分岐導波管を合成する場合には、ＯＭＪから上下左右に分岐した分岐導波管の隣り合う分岐導波管の合成器までの距離をＶ偏波とＨ偏波の相対位相差が９０度となるように長さを設定する必要があり、構造の複雑化を招いていた。また、Ｔ分岐回路等の合成回路では右旋、左旋のいずれかの偏波しか送受信できないという問題点があった。
【０００７】
また、通常、円偏波アンテナ給電回路を製造する場合、構造が複雑であるため、各コンポーネントを個別に製造し、それをフランジ接続を用いて組み合わせるため構造の肥大化および製造工程の増加によるコスト増が問題となっていた。
【０００８】
この発明は、上述のような課題を解決するためになされたもので、その目的は、構造を簡素化することができ、ひいては製造コストを下げることができるアンテナ給電回路を得るものである。
【課題を解決するための手段】
【０００９】
この発明に係るアンテナ給電回路は、円形あるいは正方形の断面形状を有する主導波管と、前記主導波管に接続され、前記主導波管より断面寸法が小さく円形あるいは正方形の断面形状を有する導波管と、前記主導波管の側面から上下左右に分岐する第１、第２、第３及び第４の分岐導波管と、前記第１、第２、第３及び第４の分岐導波管にそれぞれ接続された第１、第２、第３及び第４の低域通過形フィルタと、前記第１及び第２の低域通過形フィルタにそれぞれ接続され、通過する電波の位相差が互いに１８０度又は０度となるように、９０度の位相差を加える第１及び第２の移相器と、前記第３及び第４の低域通過形フィルタにそれぞれ接続され、通過する電波の位相差が互いに１８０度又は０度となるように、９０度の位相差を加える第３及び第４の移相器と、第１のＥ面分岐導波管、第１のＨ面分岐導波管、並びに第１及び第２の分岐端子を有し、前記第１及び第２の移相器に前記第１及び第２の分岐端子がそれぞれ接続され、前記第１及び第２の分岐端子から入射された電波を合成して前記第１のＥ面分岐導波管、又は前記第１のＨ面分岐導波管から出力する第１のマジックＴと、第２のＥ面分岐導波管、第２のＨ面分岐導波管、並びに第３及び第４の分岐端子を有し、前記第３及び第４の移相器に前記第３及び第４の分岐端子がそれぞれ接続され、前記第３及び第４の分岐端子から入射された電波を合成して前記第２のＥ面分岐導波管、又は前記第２のＨ面分岐導波管から出力する第２のマジックＴと、前記第１及び第２のＥ面分岐導波管から出力された電波を合成するＨ面Ｔ分岐回路と、前記第１及び第２のＨ面分岐導波管から出力された電波を合成するＥ面Ｔ分岐回路とを備え、前記第１及び第２の低域通過形フィルタは、前記第１、第２、第３及び第４の分岐導波管のうち、隣り合う前記第１及び第２の分岐導波管にそれぞれ接続され、前記第３及び第４の低域通過形フィルタは、隣り合う前記第３及び第４の分岐導波管にそれぞれ接続されたものである。
【発明の効果】
【００１０】
この発明に係るアンテナ給電回路は、構造を簡素化することができ、ひいては製造コストを下げることができるという効果を奏する。
【発明を実施するための最良の形態】
【００１１】
実施の形態１．
この発明の実施の形態１に係るアンテナ給電回路について図１から図７までを参照しながら説明する。図１は、この発明の実施の形態１に係るアンテナ給電回路の構成を示すブロック図である。なお、以降では、各図中、同一符号は同一又は相当部分を示す。
【００１２】
図１において、この発明の実施の形態１に係るアンテナ給電回路は、直交偏波面分離・合成器（ＯＭＪ：Ｏｒｔｈｏｍｏｄｅ  Ｊｕｎｃｔｉｏｎ）１０１と、ＯＭＪ１０１の分岐導波管（第１、第２、第３及び第４の分岐導波管）１０１ａ、１０１ｂ、１０１ｃ、１０１ｄにそれぞれ接続されたフィルタ（第１、第２、第３及び第４の低域通過形フィルタ）１０２ａ、１０２ｂ、１０２ｃ、１０２ｄと、フィルタ１０２ａ、１０２ｂ、１０２ｃ、１０２ｄにそれぞれ接続された移相器（第１、第２、第３及び第４の移相器）１０３ａ、１０４ａ、１０３ｂ、１０４ｂと、移相器１０３ａ、１０４ａに接続され、Ｅ面分岐導波管（第５の分岐導波管）１０５ａ及びＨ面分岐導波管（第６の分岐導波管）１０５ｂを有するマジックＴ（第１のマジックＴ）１０５と、移相器１０３ｂ、１０４ｂに接続され、Ｅ面分岐導波管（第７の分岐導波管）１０６ａ及びＨ面分岐導波管（第８の分岐導波管）１０６ｂを有するマジックＴ（第２のマジックＴ）１０６と、Ｅ面分岐導波管１０５ａ及び１０６ａを合成するＨ面Ｔ分岐回路（第１のＴ分岐回路）１０７と、Ｈ面分岐導波管１０５ｂ及び１０６ｂを合成するＥ面Ｔ分岐回路（第２のＴ分岐回路）１０８と、ホーンアンテナ１０９とが設けられている。
【００１３】
図２は、この発明の実施の形態１に係るアンテナ給電回路のＯＭＪの略中央部分の断面を示す図である。また、図３は、この発明の実施の形態１に係るアンテナ給電回路のＯＭＪの側面を示す図である。
【００１４】
図２（ａ）において、点線矢印は左旋偏波を表し、図２（ｂ）において、点線矢印は右旋偏波を表す。
【００１５】
図２及び図３において、ＯＭＪ１０１は、円形あるいは正方形の断面形状を有する主導波管１０１ｅと、主導波管１０１ｅの側面から上下左右に分岐する分岐導波管１０１ａ、１０１ｂ、１０１ｃ、１０１ｄと、主導波管１０１ｅに接続され、主導波管１０１ｅより断面寸法が小さく円形の断面形状を有する、つまり、周波数帯ｆＬではカットオフとなる導波管断面寸法とし、周波数帯ｆＨの電波のみを伝送する円形導波管（正方形導波管）１０１ｆとが設けられている。
【００１６】
フィルタ１０２ａ、１０２ｂ、１０２ｃ、１０２ｄは、低域通過形フィルタであり、例えばワッフルアイアンフィルタである。低域通過形フィルタ１０２ａ、１０２ｂ、１０２ｃ、１０２ｄは、低い周波数ｆＬの電波のみが通過でき、高い周波数ｆＨは基本モードであるＴＥ１０モードだけではなく、ＴＥ２０モード、ＴＥ３０モードを含め通過できないよう設計されている。
【００１７】
移相器１０３ａ及び１０４ａは、通過する電波の位相差が互いに９０度となるように設計されており、同様に、移相器１０３ｂ及び１０４ｂは、通過する電波の位相差が互いに９０度となるように設計されている。
【００１８】
つぎに、この実施の形態１に係るアンテナ給電回路の動作について図面を参照しながら説明する。
【００１９】
図４〜図７は、この発明の実施の形態１に係るアンテナ給電回路のマジックＴの電波の伝搬方向を示す図である。
【００２０】
まず、低い周波数ｆＬの左旋偏波の電波がホーンアンテナ１０９より入射されたとする。ＯＭＪ１０１の円形導波管１０１ｆでは、低い周波数ｆＬよりも遮断周波数が高くなっているため、円形導波管１０１ｆには伝送されず結合孔等を介して分岐導波管１０１ａ〜１０１ｄに伝搬する。
【００２１】
ここで、左旋偏波が入射した場合、図２（ａ）に示すように、分岐導波管１０１ａ及び１０１ｃには、分岐導波管１０１ｂ及び１０１ｄに対して９０度位相の進んだ電波が伝搬する。低域通過形フィルタを通過した電波は、移相器により、さらに９０度の位相差が加わるため１８０度の位相差が生じることとなる。移相器１０３ａ、１０４ａを通過し１８０度の位相差が生じた電波は、マジックＴ１０５により合成される。
【００２２】
図４及び図５において、マジックＴ１０５は、Ｅ面分岐導波管１０５ａと、Ｈ面分岐導波管１０５ｂと、分岐端子１０５ｃ及び１０５ｄとが設けられている。マジックＴ１０６も同様である。
【００２３】
図４及び図５に示すように、分岐端子１０５ｃ及び１０５ｄに逆相の電波が入射された場合、合成された電波はＥ面分岐導波管１０５ａより出力される。同様に、移相器１０３ｂ、１０４ｂを通過し１８０度の位相差が生じた電波はマジックＴ１０６により合成され、Ｅ面分岐導波管１０６ａより出力される。Ｅ面分岐導波管１０５ａ及び１０６ａより出力された電波は、Ｈ面Ｔ分岐回路１０７で合成されポート（Ｐｏｒｔ）１より出力される。
【００２４】
一方、低い周波数ｆＬの右旋偏波の電波がホーンアンテナ１０９より入射された場合には、図２（ｂ）に示すように、分岐導波管１０１ａ及び１０１ｃには、分岐導波管１０１ｂ及び１０１ｄに対して９０度位相の遅れた電波が伝搬する。低域通過形フィルタを通過した電波は、移相器により、９０度の位相差が加わるため位相差が０となり、これらの電波がマジックＴ１０５、１０６により合成される。
【００２５】
図６及び図７に示すように、分岐端子１０５ｂ及び１０５ｃに同相の電波が入射された場合、Ｈ面分岐導波管１０５ｂ及び１０６ｂより出力され、Ｅ面Ｔ分岐回路１０８で合成されポート（Ｐｏｒｔ）２より出力される。
【００２６】
また、高い周波数ｆＨの電波がホーンアンテナ１０９より入射した場合には、分岐導波管１０１ａ〜１０１ｄには高い周波数を反射させる低域通過形フィルタがあるため、分岐導波管１０１ａ〜１０１ｄには伝搬せずに円形導波管１０１ｆに伝搬し、ポート（Ｐｏｒｔ）３より出力される。なお、ポート３の後ろに円偏波発生器、偏分波器等を接続することにより、右旋偏波・左旋偏波、垂直偏波・水平偏波を分離することができる。
【００２７】
以上のように、この実施の形態１に係るアンテナ給電回路は、主導波管１０１ｅから上下左右に分岐した分岐導波管１０１ａ〜１０１ｄのうち隣り合う２つの分岐導波管をそれぞれ合成する構造のため、向かい合う２つの分岐導波管を合成する場合に比べ、構造を小さくすることができる。また、分岐導波管１０１ａ〜１０１ｄの合成にマジックＴ１０５、１０６を用いることにより右旋偏波、左旋偏波を分離して出力させることが可能となる。
【００２８】
実施の形態２．
この発明の実施の形態２に係るアンテナ給電回路について図８及び図９を参照しながら説明する。図８は、この発明の実施の形態２に係るアンテナ給電回路の構成を示すブロック図である。
【００２９】
図８において、この発明の実施の形態２に係るアンテナ給電回路は、ＯＭＪ２０１と、ＯＭＪ２０１の分岐導波管（第１、第２、第３及び第４の分岐導波管）２０１ａ、２０１ｂ、２０１ｃ、２０１ｄにそれぞれ接続されたフィルタ（第１、第２、第３及び第４の低域通過形フィルタ）２０２ａ、２０２ｂ、２０２ｃ、２０２ｄと、フィルタ２０２ａ、２０２ｂに接続され、Ｅ面分岐導波管（第５の分岐導波管）２０５ａ及びＨ面分岐導波管（第６の分岐導波管）２０５ｂを有するマジックＴ（第１のマジックＴ）２０５と、フィルタ２０２ｃ、２０２ｄに接続され、Ｅ面分岐導波管（第７の分岐導波管）２０６ａ及びＨ面分岐導波管（第８の分岐導波管）２０６ｂを有するマジックＴ（第２のマジックＴ）２０６と、Ｅ面分岐導波管２０５ａ及び２０６ａを合成するＨ面Ｔ分岐回路（第１のＴ分岐回路）２０７と、Ｈ面分岐導波管２０５ｂ及び２０６ｂを合成するＥ面Ｔ分岐回路（第２のＴ分岐回路）２０８と、ホーンアンテナ２０９とが設けられている。
【００３０】
図９は、この発明の実施の形態２に係るアンテナ給電回路のＯＭＪの略中央部分の断面を示す図である。
【００３１】
図９（ａ）において、太線矢印は垂直偏波を表し、図９（ｂ）において、太線矢印は水平偏波を表す。
【００３２】
図９において、ＯＭＪ２０１は、円形あるいは正方形の断面形状を有する主導波管２０１ｅと、主導波管２０１ｅの側面の上下左右（図上では、垂直偏波、水平偏波を基準に分岐導波管を描いているため分岐導波管の位置がそれぞれ４５度ずれている）に分岐する分岐導波管２０１ａ、２０１ｂ、２０１ｃ、２０１ｄと、主導波管２０１ｅに接続され、主導波管２０１ｅより断面寸法が小さく円形の断面形状を有する、つまり、周波数帯ｆＬではカットオフとなる導波管断面寸法とし、周波数帯ｆＨの電波のみを伝送する円形導波管（正方形導波管）２０１ｆとが設けられている。なお、円形導波管２０１ｆは、図示されていないが、ＯＭＪ２０１は、図３に示すものと同様である。
【００３３】
フィルタ２０２ａ、２０２ｂ、２０２ｃ、２０２ｄは、低域通過形フィルタであり、例えばワッフルアイアンフィルタである。低域通過形フィルタ２０２ａ、２０２ｂ、２０２ｃ、２０２ｄは、低い周波数ｆＬの電波のみが通過でき、高い周波数ｆＨは基本モードであるＴＥ１０モードだけではなく、ＴＥ２０モード、ＴＥ３０モードを含め通過できないよう設計されている。
【００３４】
つぎに、この実施の形態２に係るアンテナ給電回路の動作について図面を参照しながら説明する。
【００３５】
まず、低い周波数ｆＬの垂直偏波の電波がホーンアンテナ２０９より入射されたとする。ＯＭＪ２０１の円形導波管２０１ｅでは、低い周波数ｆＬよりも遮断周波数が高くなっているため、円形導波管２０１ｆには伝送されず、結合孔等を介して分岐導波管２０１ａ〜２０１ｄに伝搬する。
【００３６】
ここで、垂直偏波が入射した場合、図９（ａ）に示すように、分岐導波管２０１ａ、２０１ｃにはそれぞれ分岐導波管２０１ｂ、２０１ｄに対して同位相の電波が伝搬する。分岐導波管２０１ａ、２０１ｂを伝搬する電波は、マジックＴ２０５により合成される。分岐端子２０５ｃ及び２０５ｄに同相の電波が入射された場合、合成された電波はＨ面分岐導波管２０５ｂより出力される。同様に、分岐導波管２０１ｃ、２０１ｄを伝搬する電波は、マジックＴ２０６により合成され、Ｈ面分岐導波管２０６ｂより出力される。Ｈ面分岐導波管２０５ａ及び２０６ｂより出力された電波は、Ｅ面Ｔ分岐回路２０８で合成されポート２より出力される。
【００３７】
一方、低い周波数ｆＬの水平偏波の電波がホーンアンテナ２０９より入射された場合には、図９（ｂ）に示すように、分岐導波管２０１ａ及び２０１ｃには、分岐導波管２０１ｂ及び２０１ｄに対して逆位相の電波が伝搬する。分岐導波管２０１ａ、２０１ｂを伝搬する電波は、マジックＴ２０５により合成される。分岐端子２０５ｃ及び２０５ｄに逆位相の電波が入射された場合、合成された電波はＥ面分岐導波管２０５ａより出力される。同様に、分岐導波管２０１ｃ、２０１ｄを伝搬する電波は、マジックＴ２０６により合成され、Ｅ面分岐導波管２０６ａより出力される。Ｅ面分岐導波管２０５ａ及び２０６ａより出力された電波は、Ｈ面Ｔ分岐回路２０７で合成されポート１より出力される。
【００３８】
また、高い周波数ｆＨの電波が入射した場合には、分岐導波管２０１ａ〜２０１ｄには、高い周波数を反射させる低域通過形フィルタがあるため、分岐導波管２０１ａ〜２０１ｄには伝搬せず、円形導波管２０１ｆに伝搬し、ポート３より出力される。なお、ポート３の後ろに円偏波発生器、偏分波器等を接続することにより、右旋偏波・左旋偏波、垂直偏波・水平偏波を分離することができる。
【００３９】
以上のように、この実施の形態２に係るアンテナ給電回路は、主導波管２０１ｅから上下左右（正確には４５度ずれている）に分岐した分岐導波管２０１ａ〜２０１ｄのうち隣り合う２つの分岐導波管をそれぞれ合成する構造のため、向かい合う２つの分岐導波管を合成する場合に比べ、構造を小さくすることができる。また、分岐導波管２０１ａ〜２０１ｄの合成にマジックＴ２０５、２０６を用いることにより垂直偏波、水平偏波を分離して出力させることが可能となる。
【００４０】
実施の形態３．
この発明の実施の形態３に係るアンテナ給電回路について図１０から図１５までを参照しながら説明する。図１０は、この発明の実施の形態３に係るアンテナ給電回路の構成を示すブロック図である。図１１は、この発明の実施の形態３に係るアンテナ給電回路の正面を示す図である。図１２は、この発明の実施の形態３に係るアンテナ給電回路の側面を示す図である。図１３は、この発明の実施の形態３に係るアンテナ給電回路の移相器を示す斜視図である。図１４は、この発明の実施の形態３に係るアンテナ給電回路のコルゲート形低域通過形導波管フィルタの正面及び側面を示す図である。図１５は、この発明の実施の形態３に係るアンテナ給電回路の製造方法を示す側面図である。
【００４１】
図１０において、この発明の実施の形態３に係るアンテナ給電回路は、ＯＭＪ３０１と、ＯＭＪ３０１の分岐導波管３０１ａ、３０１ｂ、３０１ｃ、３０１ｄにそれぞれ接続されたフィルタ３０２ａ、３０２ｂ、３０２ｃ、３０２ｄと、フィルタ３０２ａ、３０２ｂ、３０２ｃ、３０２ｄにそれぞれ接続された移相器３０３ａ、３０４ａ、３０３ｂ、３０４ｂと、移相器３０３ａ、３０４ａに接続され、Ｅ面分岐導波管３０５ａ及びＨ面分岐導波管３０５ｂを有するマジックＴ３０５と、移相器３０３ｂ、３０４ｂに接続され、Ｅ面分岐導波管３０６ａ及びＨ面分岐導波管３０６ｂを有するマジックＴ３０６と、Ｅ面分岐導波管３０５ａ及び３０６ａを合成するＨ面Ｔ分岐回路３０７と、Ｈ面分岐導波管３０５ｂ及び３０６ｂを合成するＥ面Ｔ分岐回路３０８と、ホーンアンテナ３０９とが設けられている。
【００４２】
ＯＭＪ３０１は、図１１及び図１２に示すように、円形あるいは正方形の断面形状を有する主導波管３０１ｅと、主導波管３０１ｅの側面から上下左右に分岐する分岐導波管３０１ａ、３０１ｂ、３０１ｃ、３０１ｄと、主導波管３０１ｅに接続され、主導波管３０１ｅより断面寸法が小さく円形の断面形状を有する、つまり、周波数帯ｆＬではカットオフとなる導波管断面寸法とし、周波数帯ｆＨの電波のみを伝送する円形導波管（正方形導波管）３０１ｆとが設けられている。
【００４３】
フィルタ３０２ａ、３０２ｂ、３０２ｃ、３０２ｄは、図１４に示すように、コルゲート形低域通過形導波管フィルタであり、導波管の幅広寸法を高い周波数ｆＨでのＴＥ２０モードがカットオフとなる寸法としているため、低い周波数ｆＬの電波のみが通過でき、高い周波数ｆＨは基本モードであるＴＥ１０モードだけではなく、ＴＥ２０モード、ＴＥ３０モードを含め反射させるよう設計されている。
【００４４】
移相器３０３ａ及び３０３ｂは、図１３に示すように、導波管の幅広面をコルゲート状とした移相器であり、移相器３０４ａ及び３０４ｂは、導波管の幅狭面をコルゲート状とした移相器であり、いずれの移相器も管軸長を等しくしている。移相器３０３ａ及び３０４ａは、通過する電波の位相差が互いに９０度となるように設計されており、また、移相器３０３ｂ及び３０４ｂは、通過する電波の位相差が互いに９０度となるように設計されている。
【００４５】
この実施の形態３に係るアンテナ給電回路は、以上のような構造であるため、上記の実施の形態１と同様の動作をする。よって、実施の形態１と同様に、図１１及び図１２に示すように、主導波管３０１ｅから上下左右に分岐した分岐導波管３０１ａ、３０１ｂ、３０１ｃ、３０１ｄのうち隣り合う２つの分岐導波管を合成する構造のため、向かい合う２つの分岐導波管を合成する場合に比べ、構造を小さくすることができる。また、分岐導波管３０１ａ、３０１ｂ、３０１ｃ、３０１ｄの合成にマジックＴ３０５、３０６を用いることにより右旋偏波、左旋偏波を分離して出力させることが可能となる。
【００４６】
また、この実施の形態３に係るアンテナ給電回路は、ワッフルアイアンフィルタの構造の複雑なフィルタを用いる必要がなく、また、コルゲート形の移相器３０３ａ、３０４ａ、３０３ｂ、３０４ｂを用いることにより、隣あう分岐導波管を合成するマジックＴ３０５、３０６までの距離を等しくすることができるため、給電回路構造が簡素化される。したがって、図１５に示すように、両側から金属加工された４枚の金属板（Ｐｌａｔｅ１〜４）をつなぎ合わせることにより容易に製造することができる。
【００４７】
実施の形態４．
この発明の実施の形態４に係るアンテナ給電回路について図１６及び図１７を参照しながら説明する。図１６は、この発明の実施の形態４に係るアンテナ給電回路の構成を示すブロック図である。
【００４８】
図１６において、この発明の実施の形態４に係るアンテナ給電回路は、ＯＭＪ４０１と、ＯＭＪ４０１の分岐導波管（第１及び第２の分岐導波管）４０１ａ、４０１ｂにそれぞれ接続されたフィルタ（第１及び第２の低域通過形フィルタ）４０２ａ、４０２ｂと、フィルタ４０２ａ、４０２ｂにそれぞれ接続された移相器（第１及び第２の移相器）４０３、４０４と、移相器４０３、４０４に接続され、Ｅ面分岐導波管（第５の分岐導波管）４０５ａ及びＨ面分岐導波管（第６の分岐導波管）４０５ｂを有するマジックＴ４０５と、ＯＭＪ４０１の分岐導波管（第３及び第４の分岐導波管）４０１ｃ、４０１ｄにそれぞれ接続されたショート板（第１及び第２の短絡板）４０６ａ、４０６ｂと、ホーンアンテナ４０９とが設けられている。
【００４９】
図１７は、この発明の実施の形態４に係るアンテナ給電回路のＯＭＪの略中央部分の断面を示す図である。
【００５０】
図１７（ａ）において、点線矢印は左旋偏波を表し、図１７（ｂ）において、点線矢印は右旋偏波を表す。
【００５１】
図１７において、ＯＭＪ４０１は、円形あるいは正方形の断面形状を有する主導波管４０１ｅと、主導波管４０１ｅの側面から上下左右に分岐する分岐導波管４０１ａ、４０１ｂ、４０１ｃ、４０１ｄと、主導波管４０１ｅに接続され、主導波管４０１ｅより断面寸法が小さく円形の断面形状を有する、つまり、周波数帯ｆＬではカットオフとなる導波管断面寸法とし、周波数帯ｆＨの電波のみを伝送する円形導波管（正方形導波管）４０１ｆとが設けられている。なお、円形導波管４０１ｆは、図示されていないが、ＯＭＪ４０１は、図３に示すものと同様である。
【００５２】
フィルタ４０２ａ、４０２ｂは、低域通過形フィルタであり、例えばワッフルアイアンフィルタである。低域通過形フィルタ４０２ａ、４０２ｂは、低い周波数ｆＬの電波のみが通過でき、高い周波数ｆＨは基本モードであるＴＥ１０モードだけではなく、ＴＥ２０モード、ＴＥ３０モードを含め通過できないよう設計されている。
【００５３】
移相器４０３及び４０４は、通過する電波の位相差が互いに９０度となるように設計されている。
【００５４】
つぎに、この実施の形態４に係るアンテナ給電回路の動作について図面を参照しながら説明する。
【００５５】
まず、低い周波数ｆＬの左旋偏波の電波がホーンアンテナ４０９より入射されたとする。ＯＭＪ４０１の円形導波管４０１ｆでは、低い周波数ｆＬよりも遮断周波数が高くなっているため、円形導波管４０１ｆには伝送されず、結合孔等を介して分岐導波管４０１ａ〜４０１ｄに伝搬する。
【００５６】
ここで、左旋偏波が入射した場合、図１７（ａ）に示すように、分岐導波管４０１ａには分岐導波管４０１ｂに対して９０度位相の進んだ電波が伝搬する。分岐導波管４０１ｃ及び４０１ｄは、先端をショートされているため電波は伝搬していかない。通常、分岐導波管を非対称にした場合、高次モードの発生により特性の劣化が生じるが、分岐導波管を上下左右対称に設け、一定の距離をおいてそのうちの２つをショートさせることにより、擬似的に対称構造となり高次モードの発生を大幅に低減することができ、特性の劣化を小さくすることができる。
【００５７】
低域通過形フィルタ４０２ａ、４０２ｂを通過した電波は、移相器４０３、４０４により、さらに９０度の位相差が加わるため１８０度の位相差が生じることとなる。移相器４０３、４０４を通過し１８０度の位相差が生じた電波は、マジックＴ４０５により合成される。マジックＴ４０５の分岐端子４０５ｃ及び４０５ｄに逆相の電波が入射された場合、合成された電波はＥ面分岐導波管４０５ａより出力され、ポート１から出力される。
【００５８】
一方、低い周波数ｆＬの右旋偏波の電波がホーンアンテナ４０９より入射された場合には、図１７（ｂ）に示すように、分岐導波管４０１ａには分岐導波管４０１ｂに対して９０度位相の遅れた電波が伝搬する。分岐導波管４０１ｃ及び４０１ｄは、先端をショートされているため電波は伝搬していかない。低域通過形フィルタ４０２ａ、４０２ｂを通過した電波は、移相器４０３、４０４により、９０度の位相差が加わるため位相差が０となる。これらの電波がマジックＴ４０５により合成される。マジックＴ４０５の分岐端子４０５ｃ及び４０５ｄに同相の電波が入射された場合、Ｈ面分岐導波管４０５ｂより出力され、ポート２から出力される。
【００５９】
また、高い周波数ｆＨの電波がホーンアンテナ４０９に入射した場合には、分岐導波管４０１ａ〜４０１ｄには高い周波数を反射させる低域通過形フィルタ４０２ａ、４０２ｂ及びショート板４０６ａ、４０６ｂがあるため、分岐導波管４０１ａ〜４０１ｄには伝搬せず、円形導波管４０１ｆに伝搬し、ポート３より出力される。なお、ポート３の後ろに円偏波発生器、偏分波器等を接続することにより、右旋偏波・左旋偏波、垂直偏波・水平偏波を分離することができる。
【００６０】
以上のように、この実施の形態４に係るアンテナ給電回路は、主導波管４０１ｅから上下左右に分岐した分岐導波管４０１ａ〜４０１ｄのうち隣り合う２つの分岐導波管を合成し、残り２つをショートする構造のため、上記の実施の形態１と比べ、構造を小さくすることができる。また、分岐導波管の非対称性による特性の劣化も小さい。分岐導波管４０１ａ〜４０１ｄの合成にマジックＴ４０５を用いることにより右旋偏波、左旋偏波を分離して出力させることが可能となる。
【００６１】
実施の形態５．
この発明の実施の形態５に係るアンテナ給電回路について図１８及び図１９を参照しながら説明する。図１８は、この発明の実施の形態５に係るアンテナ給電回路の構成を示すブロック図である。
【００６２】
図１８において、この発明の実施の形態５に係るアンテナ給電回路は、ＯＭＪ５０１と、ＯＭＪ５０１の分岐導波管（第１及び第２の分岐導波管）５０１ａ、５０１ｂにそれぞれ接続されたフィルタ（第１及び第２の低域通過形フィルタ）５０２ａ、５０２ｂと、フィルタ５０２ａ、５０２ｂに接続され、Ｅ面分岐導波管（第５の分岐導波管）５０５ａ及びＨ面分岐導波管（第６の分岐導波管）５０５ｂを有するマジックＴ５０５と、ＯＭＪ５０１の分岐導波管（第３及び第４の分岐導波管）５０１ｃ、５０１ｄにそれぞれ接続されたショート板（第１及び第２の短絡板）５０６ａ、５０６ｂと、ホーンアンテナ５０９とが設けられている。
【００６３】
図１９は、この発明の実施の形態５に係るアンテナ給電回路のＯＭＪの略中央部分の断面を示す図である。
【００６４】
図１９（ａ）において、太線矢印は垂直偏波を表し、図１９（ｂ）において、太線矢印は水平偏波を表す。
【００６５】
図１９において、ＯＭＪ５０１は、円形あるいは正方形の断面形状を有する主導波管５０１ｅと、主導波管５０１ｅの側面の上下左右（図上では、垂直偏波、水平偏波を基準に分岐導波管を描いているため分岐導波管の位置がそれぞれ４５度ずれている）に分岐する分岐導波管５０１ａ、５０１ｂ、５０１ｃ、５０１ｄと、主導波管５０１ｅに接続され、主導波管５０１ｅより断面寸法が小さく円形の断面形状を有する、つまり、周波数帯ｆＬではカットオフとなる導波管断面寸法とし、周波数帯ｆＨの電波のみを伝送する円形導波管（正方形導波管）５０１ｆとが設けられている。なお、円形導波管５０１ｆは、図示されていないが、ＯＭＪ５０１は、図３に示すものと同様である。
【００６６】
フィルタ５０２ａ、５０２ｂは、低域通過形フィルタであり、例えばワッフルアイアンフィルタである。低域通過形フィルタ５０２ａ、５０２ｂは、低い周波数ｆＬの電波のみが通過でき、高い周波数ｆＨは基本モードであるＴＥ１０モードだけではなく、ＴＥ２０モード、ＴＥ３０モードを含め通過できないよう設計されている。
【００６７】
つぎに、この実施の形態５に係るアンテナ給電回路の動作について図面を参照しながら説明する。
【００６８】
まず、低い周波数ｆＬの垂直偏波の電波がホーンアンテナ５０９より入射されたとする。ＯＭＪ５０１の円形導波管５０１ｆでは、低い周波数ｆＬよりも遮断周波数が高くなっているため、円形導波管５０１ｆには伝送されず、結合孔等を介して分岐導波管５０１ａ〜５０１ｄに伝搬する。
【００６９】
ここで、垂直偏波が入射した場合、図１９（ａ）に示すように、分岐導波管５０１ａには分岐導波管５０１ｂに対して同位相の電波が伝搬する。分岐導波管５０１ｃ及び５０１ｄは、先端をショートされているため電波は伝搬していかない。通常、分岐導波管を非対称にした場合、高次モードの発生により特性の劣化が生じるが、分岐導波管を上下左右対称に設け、一定の距離をおいてそのうちの２つをショートさせることにより、擬似的に対称構造となり高次モードの発生を大幅に低減することができ、特性の劣化を小さくすることができる。
【００７０】
分岐導波管５０１ａ及び分岐導波管５０１ｂを伝搬する電波は、マジックＴ５０５により合成される。マジックＴ５０５の分岐端子５０５ｃ及び５０５ｄに同位相の電波が入射された場合、合成された電波はＨ面分岐導波管５０５ｂより出力され、ポート２より出力される。
【００７１】
一方、低い周波数ｆＬの水平偏波の電波がホーンアンテナ５０９より入射された場合には、図１９（ｂ）に示すように、分岐導波管５０１ａには分岐導波管５０１ｂに対して逆位相の電波が伝搬する。これらの電波が低域通過形フィルタ５０２ａ、５０２ｂを通過し、マジックＴ５０５により合成される。マジックＴ５０５の分岐端子５０５ｃ及び５０５ｄに逆位相の電波が入射された場合、Ｅ面分岐導波管５０５ａより出力され、ポート１より出力される。
【００７２】
また、高い周波数ｆＨの電波がホーンアンテナ５０９に入射した場合には、分岐導波管５０１ａ〜５０１ｄには高い周波数を反射させる低域通過形フィルタ５０２ａ、５０２ｂ及びショート板５０６ａ、５０６ｂがあるため、分岐導波管５０１ａ〜５０１ｄには伝搬せず、円形導波管５０１ｅに伝搬し、ポート３より出力される。なお、ポート３の後ろに円偏波発生器、偏分波器等を接続することにより、右旋偏波・左旋偏波、垂直偏波・水平偏波を分離することができる。
【００７３】
以上のように、この実施の形態５に係るアンテナ給電回路は、主導波管５０１ｅから上下左右に分岐した分岐導波管５０１ａ〜５０１ｄのうち隣り合う２つの分岐導波管を合成し、残り２つをショートする構造のため、上記の実施の形態２と比べ、構造を小さくすることができる。また、分岐導波管の非対称性による特性の劣化も小さい。分岐導波管５０１ａ〜５０１ｄの合成にマジックＴ５０５を用いることにより水平偏波、垂直偏波を分離して出力させることが可能となる。
【００７４】
実施の形態６．
この発明の実施の形態６に係るアンテナ給電回路について図２０から図２３までを参照しながら説明する。図２０は、この発明の実施の形態６に係るアンテナ給電回路の構成を示すブロック図である。図２１は、この発明の実施の形態６に係るアンテナ給電回路の正面を示す図である。図２２は、この発明の実施の形態６に係るアンテナ給電回路の側面を示す図である。図２３は、この発明の実施の形態６に係るアンテナ給電回路の製造方法を示す側面図である。
【００７５】
図２０において、この発明の実施の形態６に係るアンテナ給電回路は、ＯＭＪ６０１と、ＯＭＪ６０１の分岐導波管６０１ａ、６０１ｂにそれぞれ接続されたフィルタ６０２ａ、６０２ｂと、フィルタ６０２ａ、６０２ｂにそれぞれ接続された移相器６０３、６０４と、移相器６０３、６０４に接続され、Ｅ面分岐導波管６０５ａ及びＨ面分岐導波管６０５ｂを有するマジックＴ６０５と、ＯＭＪ６０１の分岐導波管６０１ｃ、６０１ｄにそれぞれ接続されたショート板６０６ａ、６０６ｂと、ホーンアンテナ６０９とが設けられている。
【００７６】
ＯＭＪ６０１は、図２１及び図２２に示すように、円形あるいは正方形の断面形状を有する主導波管６０１ｅと、主導波管６０１ｅの側面から上下左右に分岐する分岐導波管６０１ａ、６０１ｂ、６０１ｃ、６０１ｄと、主導波管６０４ｅに接続され、主導波管６０４ｅより断面寸法が小さく円形の断面形状を有する、つまり、周波数帯ｆＬではカットオフとなる導波管断面寸法とし、周波数帯ｆＨの電波のみを伝送する円形導波管（正方形導波管）６０１ｆとが設けられている。
【００７７】
フィルタ６０２ａ、６０２ｂは、図２１に示すように、コルゲート形低域通過形導波管フィルタであり、導波管の幅広寸法を高い周波数ｆＨでのＴＥ２０モードがカットオフとなる寸法としているため、低い周波数ｆＬの電波のみが通過でき、高い周波数ｆＨは基本モードであるＴＥ１０モードだけではなく、ＴＥ２０モード、ＴＥ６０モードを含め反射させるよう設計されている。
【００７８】
移相器６０３は、図２１に示すように、導波管の幅広面をコルゲート状とした移相器であり、移相器６０４は、導波管の幅狭面をコルゲート状とした移相器であり、通過する電波の位相差が互いに９０度となるように設計されている。
【００７９】
この実施の形態６に係るアンテナ給電回路は、以上のような構造であるため、上記の実施の形態４と同様の動作をする。よって、実施の形態４と同様に、主導波管６０１ｅから上下左右に分岐した分岐導波管６０１ａ〜６０１ｄのうち隣り合う２つの分岐導波管を合成し、残り２つをショートする構造のため、上記の実施の形態１と比べ、構造を小さくすることができる。また、分岐導波管の非対称性による特性の劣化も小さい。分岐導波管６０１ａ〜６０１ｄの合成にマジックＴ６０５を用いることにより右旋偏波、左旋偏波を分離して出力させることが可能となる。
【００８０】
また、この実施の形態６に係るアンテナ給電回路は、ワッフルアイアンフィルタの構造の複雑なフィルタを用いる必要がなく、また、コルゲート形の移相器６０３、６０４を用いることにより、隣あう分岐導波管を合成するマジックＴ６０５までの距離を等しくすることができるため、給電回路構造が簡素化される。したがって、図２３に示すように、両側から金属加工された２枚の金属板（Ｐｌａｔｅ１〜２）をつなぎ合わせることにより容易に製造することができる。
【００８１】
なお、上記の各実施の形態において、低域通過形フィルタをコルゲート形低域通過形導波管フィルタとし、かつ、分岐導波管、コルゲート形低域通過形導波管フィルタ、移相器の少なくともいずれかひとつの導波管の幅広寸法を、使用する複数の周波数帯うち高い周波数帯のＴＥ２０モードがカットオフとなる寸法としてもよい。
【００８２】
また、上記の各実施の形態において、円形あるいは正方形の導波管断面形状を有する主導波管が、導波管の管軸方向にテーパ形状でもよい。
【００８３】
さらに、上記の各実施の形態において、アンテナ給電回路を、図１５や、図２３に示すように、ｋ掘削加工された複数の金属ブロックを組み合わせることにより構成してもよい。
【図面の簡単な説明】
【００８４】
【図１】この発明の実施の形態１に係るアンテナ給電回路の構成を示すブロック図である。
【図２】この発明の実施の形態１に係るアンテナ給電回路のＯＭＪの略中央部分の断面を示す図である。
【図３】この発明の実施の形態１に係るアンテナ給電回路のＯＭＪの側面を示す図である。
【図４】この発明の実施の形態１に係るアンテナ給電回路のマジックＴの電波の伝搬方向を示す図である。
【図５】この発明の実施の形態１に係るアンテナ給電回路のマジックＴの電波の伝搬方向を示す図である。
【図６】この発明の実施の形態１に係るアンテナ給電回路のマジックＴの電波の伝搬方向を示す図である。
【図７】この発明の実施の形態１に係るアンテナ給電回路のマジックＴの電波の伝搬方向を示す図である。
【図８】この発明の実施の形態２に係るアンテナ給電回路の構成を示すブロック図である。
【図９】この発明の実施の形態２に係るアンテナ給電回路のＯＭＪの略中央部分の断面を示す図である。
【図１０】この発明の実施の形態３に係るアンテナ給電回路の構成を示すブロック図である。
【図１１】この発明の実施の形態３に係るアンテナ給電回路の正面を示す図である。
【図１２】この発明の実施の形態３に係るアンテナ給電回路の側面を示す図である。
【図１３】この発明の実施の形態３に係るアンテナ給電回路の移相器を示す斜視図である。
【図１４】この発明の実施の形態３に係るアンテナ給電回路のコルゲート形低域通過形導波管フィルタの正面及び側面を示す図である。
【図１５】この発明の実施の形態３に係るアンテナ給電回路の製造方法を示す側面図である。
【図１６】この発明の実施の形態４に係るアンテナ給電回路の構成を示すブロック図である。
【図１７】この発明の実施の形態４に係るアンテナ給電回路のＯＭＪの略中央部分の断面を示す図である。
【図１８】この発明の実施の形態５に係るアンテナ給電回路の構成を示すブロック図である。
【図１９】この発明の実施の形態５に係るアンテナ給電回路のＯＭＪの略中央部分の断面を示す図である。
【図２０】この発明の実施の形態６に係るアンテナ給電回路の構成を示すブロック図である。
【図２１】この発明の実施の形態６に係るアンテナ給電回路の正面を示す図である。
【図２２】この発明の実施の形態６に係るアンテナ給電回路の側面を示す図である。
【図２３】この発明の実施の形態６に係るアンテナ給電回路の製造方法を示す側面図である。
【符号の説明】
【００８５】
１０１、２０１、３０１、４０１、５０１、６０１  ＯＭＪ、１０１ａ、１０１ｂ、１０１ｃ、１０１ｄ  分岐導波管、１０１ｅ  主導波管、１０１ｆ  円形導波管、１０２ａ、１０２ｂ、１０２ｃ、１０２ｄ  フィルタ、１０３ａ、１０３ｂ  移相器、１０４ａ、１０４ｂ  移相器、１０５  マジックＴ、１０６  マジックＴ、１０７  Ｈ面Ｔ分岐回路、１０８  Ｅ面Ｔ分岐回路、１０９、２０９、３０９、４０９、５０９、６０９  ホーンアンテナ。
【図１】
0004827804.tif 000002
【図２】
0004827804.tif 000003
【図３】
0004827804.tif 000004
【図４】
0004827804.tif 000005
【図５】
0004827804.tif 000006
【図６】
0004827804.tif 000007
【図７】
0004827804.tif 000008
【図８】
0004827804.tif 000009
【図９】
0004827804.tif 000010
【図１０】
0004827804.tif 000011
【図１１】
0004827804.tif 000012
【図１２】
0004827804.tif 000013
【図１３】
0004827804.tif 000014
【図１４】
0004827804.tif 000015
【図１５】
0004827804.tif 000016
【図１６】
0004827804.tif 000017
【図１７】
0004827804.tif 000018
【図１８】
0004827804.tif 000019
【図１９】
0004827804.tif 000020
【図２０】
0004827804.tif 000021
【図２１】
0004827804.tif 000022
【図２２】
0004827804.tif 000023
【図２３】
0004827804.tif 000024